(57)【要約】【課題】  吊りベルト手段により、コンテナーバッグを吊り下げ状態にさせる場合に、吊りベルト手段がコンテナーバッグ内に収容される被収容物を支持するための支持強度を十分に確保できるようにする。【解決手段】  コンテナーバッグ１が、膜材製のバッグ本体３と、このバッグ本体３の胴部４の外面に固着される一方、吊り具９に掛吊可能とされる吊りベルト手段１０とを備える。吊りベルト手段１０が、胴部４の一部分１５の外面に接合されてこの胴部４の一部分１５に固着される膜材製の補強体１７と、一端部２３が補強体１７の上下方向の中途部１８の外面に接合されてこの中途部１８に固着され、他端部側２４が一端部２３から上方に延びて吊り具９に掛吊可能とされる吊りベルト２５と、補強体１７の上部側３０に一端部３１が固着され、他端部３３が吊りベルト２５の他端部側２４に固着される補強ベルト３６とを備える。【選択図】    図１
2005035629.tif 000002
【特許請求の範囲】
【請求項１】
膜材製のバッグ本体と、このバッグ本体の胴部の外面に固着される一方、吊り具に掛吊可能とされる吊りベルト手段とを備えたフレキシブルコンテナーバッグにおいて、
上記吊りベルト手段が、上記胴部の一部分の外面に接合されてこの胴部の一部分に固着される膜材製の補強体と、一端部が上記補強体の上下方向の中途部の外面に接合されてこの中途部に固着され、他端部側が上記一端部から上方に延びて上記吊り具に掛吊可能とされる吊りベルトと、上記補強体の上部側に一端部が固着され、他端部が上記吊りベルトの他端部側に固着される補強ベルトとを備えたことを特徴とするフレキシブルコンテナーバッグ。
【請求項２】
上記吊りベルトの他端部側が上記胴部の外側方かつ上方の傾斜方向に向かう引張力で引張され、これに伴い上記吊りベルトの上記一端部と他端部側との間の部分と、上記補強ベルトの上記一端部と他端部との間の部分とにそれぞれ引張力が与えられる場合、上記補強体の上記中途部から上部側に至る間の部分と、上記吊りベルトの上記部分と、上記補強ベルトの上記部分とが三角形状の各辺を形成するようにしたことを特徴とする請求項１に記載のフレキシブルコンテナーバッグ。
【請求項３】
上記補強体の上下方向の中央部よりも、上記吊りベルトの一端部の上下方向の中央部を、より上方に位置させたことを特徴とする請求項１、もしくは２に記載のフレキシブルコンテナーバッグ。
【請求項４】
上記胴部の一部分に上記補強体の外縁部をほぼ全体的に固着し、この補強体の上下方向かつ左右方向の中途部に上記吊りベルトの一端部を固着し、上記補強体が織物を有し、その経糸と緯糸とをそれぞれ鉛直線に対し傾斜させたことを特徴とする請求項１から３のいずれか1つに記載のフレキシブルコンテナーバッグ。
【発明の詳細な説明】
【技術分野】
【０００１】
本発明は、主に粉粒状をなす被収容物を収容してその大量輸送を可能にさせるフレキシブルコンテナーバッグに関し、より詳しくは、被収容物を収容可能とするバッグ本体と、このバッグ本体に固着される一方、吊り具に掛吊可能とされる吊りベルト手段とを備えたフレキシブルコンテナーバッグに関するものである。
【背景技術】
【０００２】
上記フレキシブルコンテナーバッグ（以下、これをコンテナーバッグという）には、従来、下記特許文献１に示されるものがある。この公報のものによれば、コンテナーバッグは、被収容物を収容可能とする膜材製のバッグ本体と、このバッグ本体の胴部の外面に固着される一方、吊り具に掛吊可能とされる吊りベルト手段とを備えている。
【０００３】
上記吊りベルト手段は、上記胴部の一部分の外面に接合されてこの胴部の一部分に固着される膜材製の補強体と、一端部が上記補強体の上下方向の中途部の外面に接合されてこの中途部に固着され、他端部側が上記一端部から上方に延びて上記吊り具に掛吊可能とされる吊りベルトとを備えている。
【０００４】
一方、下記特許文献２のものによれば、上記吊りベルト手段は、上記胴部の一部分の外面に接合されてこの胴部の一部分に固着される膜材製の補強体と、一端部が上記補強体の上下方向の中途部に成形された貫通孔を貫通し、この補強体の内面に接合されてこの補強体に固着される一方、他端部側が上記一端部から上方に延びて上記吊り具に掛吊可能とされる吊りベルトとを備えている。
【０００５】
上記コンテナーバッグの使用に際しては、まず、上記バッグ本体の下部開口を閉じ、上記吊りベルト手段の吊りベルトの上端部側である他端部側を吊り具に掛吊させて、上記コンテナーバッグを吊り下げ状態にさせる。そして、上記バッグ本体の上部開口を通し、上記バッグ本体の内部に上記被収容物を投入することにより収容して上記上部開口を閉じれば、上記コンテナーバッグへの被収容物の収容が完了する。
【０００６】
その後、上記吊り具への吊りベルト手段の掛吊を解除し、車両などにより上記コンテナーバッグを上記被収容物と共に所望位置に輸送し、ここで、再び、上記吊りベルト手段を吊り具に掛吊させて上記コンテナーバッグを吊り下げ状態にさせ、上記下部開口を開ければ、この下部開口を通し、上記コンテナーバッグの内部から所望位置に上記被収容物が排出される。
【０００７】
【特許文献１】特開平７−３１５４８１号公報
【特許文献２】特開昭６１−１２８２８号公報
【発明の開示】
【発明が解決しようとする課題】
【０００８】
ところで、上記特許文献１のコンテナーバッグを、上記したように吊り下げ状態にした場合、上記吊りベルトの他端部側には上記被収容物の重量の反力として上方に向かう引張力が与えられ、この引張力により、上記補強体に対する吊りベルトの一端部の固着部に応力が生じる。
【０００９】
上記の場合、引張力が鉛直方向の上方に向かう場合には、上記固着部には、この固着部の全体の各部にわたり剪断応力が生じ、つまり、小さい応力の発生にとどめられて、上記吊りベルト手段が上記コンテナーバッグ内に収容される被収容物を支持する場合の上記吊りベルト手段の支持強度は十分に確保されると考えられる。
【００１０】
しかし、上記コンテナーバッグを横引きする場合など、上記胴部の外側方かつ上方の傾斜方向に向かう引張力が上記吊りベルトの他端部側に与えられたときには、上記固着部の上端部に引張応力が集中して生じ、このため、この固着部は、その上端部から下方に向かって次々と剥離するおそれが生じ、つまり、上記の場合には、吊りベルト手段の支持強度は不足するおそれがある。
【００１１】
一方、特許文献２のコンテナーバッグを、上記したように吊り下げ状態にさせた場合、上記引張力が鉛直方向と傾斜方向のいずれに向かうとしても、上記吊りベルトの一端部は上記補強体の内面に接合させられて固着されているため、上記固着部の一部に引張応力が集中して生じるということは防止され、上記吊りベルト手段の支持強度は十分に確保されると考えられる。
【００１２】
しかし、上記特許文献２の場合、前記したように吊りベルト手段の吊りベルトの一端部は、上記補強体の貫通孔を貫通してこの補強体の内面に固着されているため、コンテナーバッグの洗浄時などに上記吊りベルトを伝う水は、上記貫通孔を通りコンテナーバッグの一部の内部である上記補強体の内部に達し、ここに滞留するおそれがあって、好ましくない。また、上記コンテナーバッグの外部の異物も、上記貫通孔を通り上記補強体の内部に達し、ここに残留するおそれがある。
【課題を解決するための手段】
【００１３】
本発明は、上記のような事情に注目してなされたもので、本発明の目的は、コンテナーバッグが備える吊りベルト手段を吊り具に掛吊させることにより、上記コンテナーバッグを吊り下げ状態にさせる場合に、上記吊りベルト手段がコンテナーバッグ内に収容される被収容物を支持するための支持強度を十分に確保できるようにし、かつ、雨天時などに上記吊りベルト手段の吊りベルトを伝う水が上記コンテナーバッグの一部の内部に入り込まないようにすることである。
【００１４】
請求項１の発明は、膜材製のバッグ本体３と、このバッグ本体３の胴部４の外面に固着される一方、吊り具９に掛吊可能とされる吊りベルト手段１０とを備えたフレキシブルコンテナーバッグにおいて、
上記吊りベルト手段１０が、上記胴部４の一部分１５の外面に接合されてこの胴部４の一部分１５に固着される膜材製の補強体１７と、一端部２３が上記補強体１７の上下方向の中途部１８の外面に接合されてこの中途部１８に固着され、他端部側２４が上記一端部２３から上方に延びて上記吊り具９に掛吊可能とされる吊りベルト２５と、上記補強体１７の上部側３０に一端部３１が固着され、他端部３３が上記吊りベルト２５の他端部側２４に固着される補強ベルト３６とを備えたものである。
【００１５】
請求項２の発明は、請求項１の発明に加えて、上記吊りベルト２５の他端部側２４が上記胴部４の外側方かつ上方の傾斜方向に向かう引張力Ｔ１で引張され、これに伴い上記吊りベルト２５の上記一端部２３と他端部側２４との間の部分３８と、上記補強ベルト３６の上記一端部３１と他端部３３との間の部分３９とにそれぞれ引張力が与えられる場合（図１）、上記補強体１７の上記中途部１８から上部側３０に至る間の部分４０と、上記吊りベルト２５の上記部分３８と、上記補強ベルト３６の上記部分３９とが三角形状の各辺を形成するようにしたものである。
【００１６】
請求項３の発明は、請求項１、もしくは２の発明に加えて、上記補強体１７の上下方向の中央部４３よりも、上記吊りベルト２５の一端部２３の上下方向の中央部４４を、より上方に位置させたものである。
【００１７】
請求項４の発明は、請求項１から３のうちいずれか１つの発明に加えて、上記胴部４の一部分１５に上記補強体１７の外縁部をほぼ全体的に固着し、この補強体１７の上下方向かつ左右方向の中途部１８に上記吊りベルト２５の一端部２３を固着し、上記補強体１７が織物を有し、その経糸４６と緯糸４７とをそれぞれ鉛直線４８に対し傾斜させたものである。
【００１８】
なお、この項において、上記各用語に付記した符号は、本発明の技術的範囲を後述の「実施例」の項の内容に限定解釈するものではない。
【発明の効果】
【００１９】
本発明による効果は、次の如くである。
【００２０】
請求項１の発明は膜材製のバッグ本体と、このバッグ本体の胴部の外面に固着される一方、吊り具に掛吊可能とされる吊りベルト手段とを備えたフレキシブルコンテナーバッグにおいて、
上記吊りベルト手段が、上記胴部の一部分の外面に接合されてこの胴部の一部分に固着される膜材製の補強体と、一端部が上記補強体の上下方向の中途部の外面に接合されてこの中途部に固着され、他端部側が上記一端部から上方に延びて上記吊り具に掛吊可能とされる吊りベルトと、上記補強体の上部側に一端部が固着され、他端部が上記吊りベルトの他端部側に固着される補強ベルトとを備えている。
【００２１】
このため、上記吊りベルト手段の吊りベルトの他端部側を吊り具に掛吊させて、上記コンテナーバッグを吊り下げ状態にさせた場合で、このコンテナーバッグを横引きする場合など、上記胴部の外側方かつ上方の傾斜方向に向かう引張力が上記吊りベルトの他端部側に与えられたときには、上記補強体に対する吊りベルトの一端部の固着部の上端部に引張応力が集中して生じがちとなる。
【００２２】
しかし、この場合には、上記引張力は、上記吊りベルトと、補強ベルトとで分担して支持されるため、上記補強体に対する吊りベルトの一端部の固着部の一部に引張応力が集中するということは防止され、この固着部が剥離するということは防止される。
【００２３】
よって、上記コンテナーバッグを吊り下げ状態にさせた場合で、上記吊りベルト手段がコンテナーバッグ内に収容される被収容物を支持する場合において、上記吊りベルト手段の支持強度は十分に確保できる。
【００２４】
また、上記吊りベルトは、上記補強体の外面に固着されていることから、コンテナーバッグの洗浄時などに上記吊りベルトを伝う水が、上記コンテナーバッグの一部の内部に入り込んだり、コンテナーバッグの外部の異物がこのコンテナーバッグの一部の内部に入り込んでそこに残留する、ということは未然に防止される。
【００２５】
請求項２の発明は、上記吊りベルトの他端部側が上記胴部の外側方かつ上方の傾斜方向に向かう引張力で引張され、これに伴い上記吊りベルトの上記一端部と他端部側との間の部分と、上記補強ベルトの上記一端部と他端部との間の部分とにそれぞれ引張力が与えられる場合、上記補強体の上記中途部から上部側に至る間の部分と、上記吊りベルトの上記部分と、上記補強ベルトの上記部分とが三角形状の各辺を形成するようにしてある。
【００２６】
このため、上記傾斜方向に向かう引張力で引張されて上記補強体、吊りベルト、および補強ベルトの各部分が上記したように三角形状の各辺を形成したときには、上記引張力は、より確実に上記吊りベルトと補強ベルトの各部分で分担して支持され、よって、上記吊りベルト手段の支持強度は、より十分に確保できる。
【００２７】
請求項３の発明は、上記補強体の上下方向の中央部よりも、上記吊りベルトの一端部の上下方向の中央部を、より上方に位置させている。
【００２８】
このため、上記したように、コンテナーバッグを吊り下げ状態にした場合、上記吊りベルトの他端部側に与えられた引張力は、この吊りベルトの一端部から上記補強体を介し上記バッグ本体の胴部に与えられるが、上記したように吊りベルトの一端部が、補強体においてのより上部側に位置させられる分、上記引張力は、上記補強体の下部側のより広い面積を介して上記胴部に与えられる。
【００２９】
よって、上記胴部と補強体との間に生じる応力は小さく抑制されることから、上記吊りベルト手段の支持強度は更に十分に確保できる。
【００３０】
請求項４の発明は、上記胴部の一部分に上記補強体の外縁部をほぼ全体的に固着し、この補強体の上下方向かつ左右方向の中途部に上記吊りベルトの一端部を固着し、上記補強体が織物を有し、その経糸と緯糸とをそれぞれ鉛直線に対し傾斜させている。
【００３１】
このため、上記したように、コンテナーバッグを吊り下げ状態にした場合、上記吊りベルトの他端部側に与えられた引張力は、この吊りベルトの一端部から上記補強体を介し上記バッグ本体の胴部に与えられるが、上記引張力は、上記経糸と緯糸とによって、上記補強体の下部側の左右各側部を含む、より広い面積を介して上記胴部に与えられる。
【００３２】
よって、上記胴部と補強体との間に生じる応力は小さく抑制されることから、上記吊りベルト手段の支持強度は更に十分に確保できる。
【発明を実施するための最良の形態】
【００３３】
本発明のフレキシブルコンテナーバッグに関し、コンテナーバッグが備える吊りベルト手段を吊り具に掛吊させることにより、上記コンテナーバッグを吊り下げ状態にさせる場合に、上記吊りベルト手段がコンテナーバッグ内に収容される被収容物を支持するための支持強度を十分に確保することができるようにし、かつ、雨天時などに上記吊りベルト手段の吊りベルトを伝う水が上記コンテナーバッグの一部の内部に入り込まないようにする、という目的を実現するため、本発明を実施するための最良の形態は、次の如くである。
【００３４】
即ち、コンテナーバッグは、膜材製のバッグ本体と、このバッグ本体の胴部の外面に固着される一方、吊り具に掛吊可能とされる吊りベルト手段とを備えている。
【００３５】
上記吊りベルト手段は、上記胴部の一部分の外面に接合されてこの胴部の一部分に固着される膜材製の補強体と、一端部が上記補強体の上下方向の中途部の外面に接合されてこの中途部に固着され、他端部側が上記一端部から上方に延びて上記吊り具に掛吊可能とされる吊りベルトと、上記補強体の上部側に一端部が固着され、他端部が上記吊りベルトの他端部側に固着される補強ベルトとを備えている。
【実施例】
【００３６】
本発明をより詳細に説明するために、添付の図に従ってこれを説明する。
【００３７】
図において、符号１はフレキシブルコンテナーバッグである。
【００３８】
上記コンテナーバッグ１は、粉粒体など被収容物２を収容可能とする膜材製で樹脂による防水加工が施されたバッグ本体３を備えている。このバッグ本体３は、軸心が鉛直方向に延び、平面視での断面積が大きい角筒形状の胴部４と、この胴部４の上端部に取り付けられる注入筒体５と、上記胴部４の下端部に取り付けられる排出筒体６とを備え、上記注入筒体５の内部は上記胴部４の内部をその上方に開口させる上部開口とされ、上記排出筒体６の内部は上記胴部４の内部をその下方に開口させる下部開口とされている。
【００３９】
また、上記コンテナーバッグ１は、鉛直方向に延びる上記胴部４の外面に固着される一方、上記コンテナーバッグ１の上方側に位置する吊り具９に掛吊可能とされる複数（４つ）の吊りベルト手段１０とを備え、これら各吊りベルト手段１０は上記胴部４の周りで互いに等間隔に配置されている。また、上記吊り具９は、上記コンテナーバッグ１の上方側の静止側部材から垂下されるロープ１２と、このロープ１２の各下端部に連結されるシャックル１３とを備えている。
【００４０】
上記吊りベルト手段１０は、上記胴部４の上下方向の中途部における一部分１５の外面に接合されてこの胴部４の一部分１５に熱溶着である第１固着手段１６により固着される膜材製で樹脂による防水加工が施された補強体１７を備えている。この補強体１７は、上下方向に長く延びるほぼ長方形状とされ、その外縁部のみがほぼ全体的に上記第１固着手段１６により上記胴部４の一部分１５に固着されている。また、上記補強体１７の上下方向かつ左右方向の中途部１８における上記胴部４側の内面には、縫合である第２固着手段１９により膜材製の他の補強体２０が固着されている。
【００４１】
上記吊りベルト手段１０は、一端部２３が上記補強体１７の上記中途部１８の外面に接合されてこの中途部１８に上記第２固着手段１９により固着される一方、他端部側２４が上記一端部２３から上方に延びて上記吊り具９のシャックル１３に掛吊可能とされる膜材製の吊りベルト２５を備えている。
【００４２】
上記吊りベルト２５は、一本のベルト材を折り曲げて２枚重ね構造としたものであり、上記吊りベルト２５の上記胴部４側の内面側が内側ベルト材２６、外面側が外側ベルト材２７で構成され、これら内、外側ベルト材２６，２７の各上端部が互いに一体成形されている。この場合、上記第２固着手段１９によって上記内、外側ベルト材２６，２７が互いに固着されている。
【００４３】
上記吊りベルト手段１０は、上記補強体１７の上部側３０に一端部３１が縫合である第３固着手段３２により固着され、他端部３３が上記吊りベルト２５の他端部側２４に縫合である第４固着手段３５により固着される膜材製の補強ベルト３６を備えている。また、上記第４固着手段３５により、上記内、外側ベルト材２６，２７が互いに固着されている。
【００４４】
上記の場合、バッグ本体３の胴部４に対する吊りベルト手段１０の補強体１７の固着強度は、この補強体１７に対する吊りベルト２５の一端部２３と補強ベルト３６の一端部３１との合計の固着強度よりも十分に大きくされている。このため、上記引張力Ｔ１，Ｔ２により、上記吊りベルト手段１０が破損するとしても、上記胴部４から吊りベルト手段１０の補強体１７が剥離するということは防止される。そして、上記したように吊りベルト手段１０に破損が生じた場合には、この吊りベルト手段１０に代えて、上記胴部４に対し新しい吊りベルト手段１０の固着が可能とされている。
【００４５】
上記コンテナーバッグ１の成形は、上記バッグ本体３と吊りベルト手段１０とを個別にそれぞれ成形し、次に、上記バッグ本体３の胴部４に対し、上記吊りベルト手段１０の補強体１７を第１固着手段１６により固着させることによって達成される。
【００４６】
上記吊りベルト２５の上端部側である他端部側２４が上記胴部４の外側方かつ上方の傾斜方向に向かう引張力Ｔ１で引張され、これに伴い上記吊りベルト２５の上記一端部２３と他端部側２４との間の部分３８と、上記補強ベルト３６の上記一端部３１と他端部３３との間の部分３９とにそれぞれ引張力が与えられる場合（図１）、上記補強体１７の上記中途部１８から上部側３０に至る間の部分４０と、上記吊りベルト２５の上記部分３８と、上記補強ベルト３６の上記部分３９とが三角形状の各辺を形成することとされている。
【００４７】
上記コンテナーバッグ１の使用に際しては、まず、上記バッグ本体３の排出筒体６を絞ることにより、その内部の下部開口を閉じ、上記吊りベルト手段１０の吊りベルト２５の上端部側である他端部側２４を吊り具９に掛吊させて、上記コンテナーバッグ１を吊り下げ状態にさせる。そして、上記バッグ本体３の上記注入筒体５の内部である上部開口を通し、上記バッグ本体３の内部に上記被収容物２を投入することにより収容し、次に、上記注入筒体５を絞ることにより、その内部の上部開口を閉じれば、上記コンテナーバッグ１への被収容物２の収容が完了する。
【００４８】
その後、上記吊り具９への吊りベルト手段１０の掛吊を解除し、車両などにより上記コンテナーバッグ１を上記被収容物２と共に所望位置に輸送し、ここで、再び、上記吊りベルト手段１０を吊り具９に掛吊させて上記コンテナーバッグ１を吊り下げ状態にさせ、上記下部開口を開ければ、この下部開口を通し、上記コンテナーバッグ１の内部から所望位置に上記被収容物２が排出される。
【００４９】
ところで、上記コンテナーバッグ１を、上記したように吊り下げ状態にした場合、上記吊りベルト２５の他端部側２４には上記被収容物２の重量の反力として上方に向かう引張力Ｔ１，Ｔ２が与えられ、この引張力Ｔ１，Ｔ２により、上記補強体１７に対する吊りベルト２５の下端部である一端部３３の固着部に応力が生じる。
【００５０】
上記の場合、図１中一点鎖線で示すように、引張力Ｔ２が鉛直方向の上方に向かう場合には、上記固着部には、この固着部の全体の各部にわたり剪断応力が生じ、つまり、小さい応力の発生にとどめられて、上記吊りベルト手段１０が上記コンテナーバッグ１内に収容される被収容物２を支持する場合の上記吊りベルト手段１０の支持強度は十分に確保される。
【００５１】
一方、上記コンテナーバッグ１を横引きする場合など、上記胴部４の外側方かつ上方の傾斜方向に向かう引張力Ｔ１が上記吊りベルト２５の他端部側２４に与えられたときには、上記固着部の上端部に引張応力が集中して生じがちとなる。
【００５２】
しかし、この場合には、上記引張力Ｔ１は、上記吊りベルト２５の上記部分３８と、補強ベルト３６の上記部分３９とで分担して支持されるため、上記補強体１７に対する吊りベルト２５の一端部２３の固着部の一部に引張応力が集中するということは防止され、この固着部が剥離するということは防止される。
【００５３】
よって、上記コンテナーバッグ１を吊り下げ状態にさせた場合で、上記吊りベルト手段１０がコンテナーバッグ１内に収容される被収容物２を支持する場合において、上記吊りベルト手段１０の支持強度は十分に確保できる。
【００５４】
また、上記吊りベルト２５は、前記特許文献２のように、上記補強体１７の貫通孔を貫通しておらず、この補強体１７の外面に固着されていることから、コンテナーバッグ１の洗浄時などに上記吊りベルト２５を伝う水が、上記コンテナーバッグ１の一部の内部に入り込んだり、コンテナーバッグ１の外部の異物がこのコンテナーバッグ１の一部の内部に入り込んでそこに残留する、ということは未然に防止される。
【００５５】
また、前記したように、吊りベルト２５の他端部側２４が上記胴部４の外側方かつ上方の傾斜方向に向かう引張力Ｔ１で引張され、これに伴い上記吊りベルト２５の上記一端部２３と他端部側２４との間の部分３８と、上記補強ベルト３６の上記一端部３１と他端部３３との間の部分３９とにそれぞれ引張力が与えられる場合（図１）、上記補強体１７の上記中途部１８から上部側３０に至る間の部分４０と、上記吊りベルト２５の上記部分３８と、上記補強ベルト３６の上記部分３９とが三角形状の各辺を形成するようにしてある。
【００５６】
このため、上記傾斜方向に向かう引張力Ｔ１で引張されて上記補強体１７、吊りベルト２５、および補強ベルト３６の各部分３８―４０が上記したように三角形状の各辺を形成したときには、上記引張力Ｔ１は、より確実に上記吊りベルト２５と補強ベルト３６の各部分３８，３９で分担して支持され、よって、上記吊りベルト手段１０の支持強度は、より十分に確保できる。
【００５７】
また、上記構成において、補強体１７の上下方向の中央部４３よりも、上記吊りベルト２５の一端部２３の上下方向の中央部４４を、より上方に位置させている。
【００５８】
このため、上記したように、コンテナーバッグ１を吊り下げ状態にした場合、上記吊りベルト２５の他端部側２４に与えられた引張力Ｔ１，Ｔ２は、この吊りベルト２５の一端部２３から上記補強体１７を介し上記バッグ本体３の胴部４に与えられるが、上記したように吊りベルト２５の一端部２３が、補強体１７においてのより上部側に位置させられる分、上記引張力Ｔ１，Ｔ２は、上記補強体１７の下部側のより広い面積を介して上記胴部４に与えられる。
【００５９】
よって、上記胴部４と補強体１７との間に生じる応力は小さく抑制されることから、上記吊りベルト手段１０の支持強度は更に十分に確保できる。
【００６０】
また、上記構成において、胴部４の一部分１５に上記補強体１７の外縁部をほぼ全体的に固着し、この補強体１７の上下方向かつ左右方向の中途部１８に上記吊りベルト２５の一端部２３を固着し、上記補強体１７が樹脂コーティングにより防水加工された織物を有し、この織物の経糸４６と緯糸４７とをそれぞれ鉛直線４８に対し傾斜させ、つまり、上記補強体１７の織物をバイアス構造にしている。
【００６１】
このため、上記したように、コンテナーバッグ１を吊り下げ状態にした場合、上記吊りベルト２５の他端部側２４に与えられた引張力Ｔ１，Ｔ２は、この吊りベルト２５の一端部２３から上記補強体１７を介し上記バッグ本体３の胴部４に与えられるが、上記引張力Ｔ１，Ｔ２は、上記経糸４６と緯糸４７とによって、上記補強体１７の下部側の左右各側部を含む、より広い面積を介して上記胴部４に与えられる。
【００６２】
よって、上記胴部４と補強体１７との間に生じる応力は小さく抑制されることから、上記吊りベルト手段１０の支持強度は更に十分に確保できる。
【００６３】
なお、図１，３中二点鎖線で示すように、上記吊りベルト２５の外側ベルト材２７の下端部を下方に延出させて、その延出端部４９を縫合による第５固着手段５０により上記補強体１７の下部側に固着させてもよい。
【００６４】
また、以上は図示の例によるが、上記したように吊りベルト２５の外側ベルト材２７を延出させて、その延出端部４９を第５固着手段５０により上記補強体１７の下部側に固着させ、上記吊りベルト２５の一端部２３と他端部側２４とにおける上記外側ベルト材２７を、上記補強体１７と補強ベルト３６とに対し固着させないようにしてもよい。また、上記吊りベルト２５は内、外側ベルト材２６，２７のうち、一方のベルト材でのみ構成してもよい。また、上記他の補強体２０、吊りベルト２５、および補強ベルト３６のうちの少なくともいずれかを、上記補強体１７と同様のバイアス構造にしてもよい。
【図面の簡単な説明】
【００６５】
【図１】図２の部分拡大、部分破断断面図である。
【図２】コンテナーバッグの全体側面図である。
【図３】図２の部分拡大、部分破断図である。
【符号の説明】
【００６６】
１    コンテナーバッグ
２    被収容物
３    バッグ本体
４    胴部
９    吊り具
１０  吊りベルト手段
１５  一部分
１６  第１固着手段
１７  補強体
１８  中途部
１９  第２固着手段
２３  一端部
２４  他端部側
２５  吊りベルト
３０  上部側
３１  一端部
３２  第３固着手段
３３  他端部
３５  第４固着手段
３６  補強ベルト
３８  部分
３９  部分
４０  部分
４３  中央部
４４  中央部
４６  経糸
４７  緯糸
４８  鉛直線
Ｔ１  引張力
Ｔ２  引張力
【図１】
2005035629.tif 000003
【図２】
2005035629.tif 000004
【図３】
2005035629.tif 000005